(57)【要約】【課題】輪転印刷機の制御装置及び制御方法に関し、印刷準備時間を短縮して操業効率を向上し、且つ作業者の操作負担を軽減できるようにする。【解決手段】現在使用中の旧ウェブロール１１のウェブ１０に、次の印刷で使用される新ウェブロール１２のウェブ１０を紙継するペースタ装置１００と、ペースタ装置１００に紙継の開始を指令する指令手段９５と、紙継時に紙継に関連して設定変更すべき紙継関連変更要素２０，７１と、指令手段９５により紙継が指令されたら、ペースタ装置１００と紙継関連変更要素２０，７１とを連携して作動を制御する制御手段９１とをそなえて構成する。【選択図】        図１
2004224562.tif 000002
【特許請求の範囲】
【請求項１】
現在使用中の旧ウェブロールのウェブに、次の印刷で使用される新ウェブロールのウェブを紙継するペースタ装置と、
該ペースタ装置に該紙継の開始を指令する指令手段と、
該紙継時に該紙継に関連して設定変更すべき紙継関連変更要素と、
該指令手段により該紙継が指令されたら、該ペースタ装置と該紙継関連変更要素とを連携して作動を制御する制御手段とをそなえている
ことを特徴とする、輪転印刷機の制御装置。
【請求項２】
該新ウェブロールのウェブ処理情報を記憶しておく記憶手段をそなえ、
該制御手段は、
該記憶手段に記憶されたウェブ処理情報に基づいて該紙継関連変更要素の作動を制御する
ことを特徴とする、請求項１記載の輪転印刷機の制御装置。
【請求項３】
該ウェブ処理情報は、該新ウェブロールの紙幅情報である
ことを特徴とする、請求項２記載の輪転印刷機の制御装置。
【請求項４】
該紙継関連変更要素は、
該ウェブの走行ラインの左右両側の少なくとも一方に設けられ、該ウェブの走行姿勢を安定すべく機能するウェブガイドを含み、
該制御手段は、該ウェブガイドの位置を変更する
ことを特徴とする、請求項１〜３のいずれか１項に記載の輪転印刷機の制御装置。
【請求項５】
該紙継関連変更要素は、印刷機の折機部に設けられた三角板を含み、
該制御手段は、該三角板の位置を変更する
ことを特徴とする、請求項１〜４のいずれか１項に記載の輪転印刷機の制御装置。
【請求項６】
該制御手段は、
該指令手段により該紙継の開始が指令されると、該ウェブの走行速度を紙継対応速度にする
ことを特徴とする、請求項１〜５のいずれか１項に記載の輪転印刷機の制御装置。
【請求項７】
該折機部の下流側に排紙部がそなえられ、
該制御手段は、該排紙部で紙継部分が排紙されたら、該ウェブの走行を停止させる
ことを特徴とする、請求項１〜６のいずれか１項に記載の輪転印刷機の制御装置。
【請求項８】
現在使用中の旧ウェブロールのウェブに、次の印刷で使用される新ウェブロールのウェブを紙継する時の制御方法であって、
紙継開始前に、予め、紙継処理に連動させて状態を変更すべき紙継関連変更要素の変更内容を記憶手段に記憶させ、
その後、紙継開始指令があると、まず、旧ウェブロールのウェブの走行速度を紙継対応速度とし、
次に、該紙継処理を実施し、これに連動させて該紙継関連変更要素を該記憶手段に記憶された変更内容に応じて変更する
ことを特徴とする、輪転印刷機の制御方法。
【請求項９】
印刷機の作動中に該紙継開始指令があると、該旧ウェブロールのウェブの走行速度を該紙継対応速度まで減速させる
ことを特徴とする、請求項８記載の輪転印刷機の制御方法。
【請求項１０】
該紙継関連変更要素は、該ウェブの走行ラインの左右両側の少なくとも一方に設けられ、該ウェブの走行姿勢を安定すべく機能するウェブガイドを含み、
該新ウェブロールの紙幅が該旧ウェブロールの紙幅よりも小さい場合、該ウェブの紙継部分が該ウェブガイドを通過してから該ウェブガイドの位置を変更し、
該新ウェブロールの紙幅が該旧ウェブロールの紙幅よりも大きい場合、該ウェブの紙継部分が該ウェブガイドを通過する前に該ウェブガイドの位置を変更することを特徴とする、請求項８又は９記載の輪転印刷機の制御方法。
【請求項１１】
排紙部で該ウェブの紙継部分が排紙された後、印刷機を停止させる
ことを特徴とする、請求項８〜１０のいずれか１項に記載の輪転印刷機の制御方法。
【発明の詳細な説明】
【０００１】
【発明の属する技術分野】
本発明は、輪転印刷機において、現在使用中の旧ウェブロールに、次の印刷で使用される新ウェブロールを紙継する際に用いて好適の、輪転印刷機の制御装置及び制御方法に関する。
【０００２】
【従来の技術】
図３は一般的な商業用オフセット輪転印刷機の要部を説明するための概略構成図である。
一般的な商業用オフセット輪転印刷機は、図３に示すように、給紙部１，インフィード部２，印刷部３，ドライヤ部４，クーリング部（冷却部）５，ウェブパス部６，折機部７，排紙部８等をその要部として備えている。
【０００３】
給紙部１は、ウェブロール１１，１２が装着されるリールスタンド（図示省略）を備えており、印刷稼働の途上で新，旧ウェブロールを互いに接続して連続的にウェブ（帯状の用紙）１０を給送すべく機能している。
なお、ここでは、ウェブロール１１は使用中のもの（即ち旧ウェブロール）であり、ウェブロール１２は次の使用のために準備されたもの（即ち新ウェブロール）である。
【０００４】
また、給紙部１はペースタ部とも呼ばれ、給紙部１には例えば図４に示すようなペースタ装置１００が備えられている。
このようなペースタ装置１００で旧ウェブロール１１と新ウェブロール１２との交換を行なう場合、まず、図４（ａ）に示すように、現在使用中の旧ウェブロール１１が一端に装着された回転部材１０１の他端に、次に使用される新ウェブロール１２を装着し、回転軸１０２を回転中心として図４（ａ）中矢印方向へ回転させる。これにより、旧ウェブロール１１と新ウェブロール１２とが互いに図４（ｂ）に示すような位置関係となる。なお、新ウェブロール１２の始端部には予め糊が付けられている。
【０００５】
その後、ブラシ１０３とカッタ１０４とが先端に装備されたアーム１０６を上昇させ、ウェブ１０の近傍位置に待機させる。
そして、図４（ｃ）に示すように、新ウェブロール１２を図４（ｃ）中矢印方向に回転加速させ、旧ウェブロール１１との周速が一致したら、ブラシ１０３により走行中のウェブ１０を新ウェブロール１２の始端部に押付けて貼り付けるとともに、図４（ｄ）に示すように、カッタ１０４により旧ウェブロール１１のウェブ１０を切断して紙継を完了する。
【０００６】
このように、ペースタ装置１００によりウェブ１０の繰り出しもとを旧ウェブロール１１から新ウェブロール１２へ切換えるようになっている。
インフィード部２は、給紙部１から連続的にウェブ１０を引き出す部分であり、ウェブ１０のテンション（ウェブ張力）を適宜にコントロールしながら印刷部３へ移送するようになっている。
【０００７】
また、インフィード部２には、ウェブ１０の走行を安定させるために図５（ａ）に示すようなウェブガイド装置２０が備えられている。
ウェブガイド装置２０は、ここではウェブ１０の左右両側に設けられたウェブガイド２１と、ガイドローラ２３とをそなえて構成されている。
ウェブガイド２１は、例えば図５（ｂ）に示すように、コの字状の形状をしており、ウェブ面に対して垂直にレーザ光等を照射し、これを受光することにより、ウェブ１０の左右両端の位置を測定するようになっている。
【０００８】
そして、図示省略の制御部が、ウェブガイド２１から得られた測定情報に基づいて、ウェブ１０が走行中心線からどれくらいずれているかを算出し、ウェブ１０が走行中心線からずれた時にはガイドローラ２３を図５（ａ）中矢印方向へ適量旋回動し、ウェブ１０が幅方向にずれて走行することがないように常にウェブ１０の走行位置及び走行姿勢を適正にさせるようになっている。
【０００９】
図３に示すように、印刷部３には、一般的にブラック、シアン、レッド、イエローの４色それぞれに対応した４組の印刷ユニット３１ａ〜３１ｄがウェブ走行方向に沿って並設されている。そして、ウェブ１０を各印刷ユニット３１ａ〜３１ｄへ順次通紙させることによって多色印刷ができるようになっている。
なお、各印刷ユニット３１ａ〜３１ｄによる印刷はウェブ１０上における同一領域に対して行われ、このように各色が同一領域上で重ね合わされることで１つの絵柄が形成されるようになっている。
【００１０】
印刷部３において印刷を終えたウェブ１０は、次工程のドライヤ部４で加熱乾燥された後、クーリング部５にて冷却されウェブパス部６へ移送される。なお、ドライヤ部４は、印刷部３を通過したウェブ１０上のインキを乾燥させるための装置であり、クーリング部５は、ドライヤ部４での乾燥後の過剰な熱を蓄えるウェブ１０を適当な温度まで冷却するための装置である。また、インフィード部２と同様にクーリング部５、もしくはウェブパス部６にも、ウェブ１０の走行位置や走行姿勢を安定化させるためのウェブガイド装置が備えられている。
【００１１】
そして、乾燥，冷却を終えたウェブ１０は、ウェブパス部６から折機部７へ移送される。折機部７におけるウェブ１０は、図６に示すように、三角板７１を経て縦に二つ折りされた後、鋸胴７４及び折胴７５によって印刷部３において印刷された絵柄を単位とした大きさに裁断されると共に折り畳まれて目的とする折帖に形成され、羽根車７６を介して排紙部８の排紙コンベア８１上に移送され、機外へ搬出されるようになっている。
【００１２】
また、図７に示すように、折機部７の三角板７１は、矢印Ｃ方向へ移動可能なように図示省略の移動機構を有して構成されている。
これにより、二つ折りされたウェブ１０の中心線Ｌ１がフォーミングローラ７３の軸方向中心にくるように三角板７１を適量だけ移動し、フォーミングローラ７３よりも下流側の工程における処理が適切に行なわれるようにしている。
【００１３】
従って、例えば、現在のウェブ１０の幅よりも広い幅のウェブが走行してきた場合、中心線Ｌ１が中心線Ｌ２になり図７中左側にｘだけずれてしまうので、三角板７１をずれ分ｘだけ逆方向（図７中右方向）へ移動するようになっている。
【００１４】
【発明が解決しようとする課題】
ところで、現在では、小ロット化（必要印刷部数の減少化）により、１つのウェブロールを全て使い切る前に紙種（紙質，紙幅等）の異なるウェブロールに切換える頻度が上がっている。
しかしながら、例えば新ウェブロール１２が旧ウェブロール１１よりも幅が広い場合、ペースタ装置１００で紙継することは従来通り可能であるが、新ウェブロール１２のウェブ１０がウェブガイド２１等を通過する際にウェブガイド２１に接触して紙切れが生じてしまう。
【００１５】
また、新ウェブロール１２が旧ウェブロール１１よりも幅が狭い場合には、ウェブ１０がウェブガイド２１に接触して紙切れが生じることはないとしても、ウェブガイド２１の測定可能範囲は限られているため、ウェブ１０がこの範囲内を走行するように、ウェブ１０の紙幅に応じてウェブガイド２１の位置（即ち、ウェブガイド２１，２１間の間隔）を変更する必要がある。
【００１６】
そこで、旧ウェブロール１１とは紙幅の異なる新ウェブロール１２に切換える場合には、紙継完了後に印刷機を停止し、作業者が、次に使用される新ウェブロール１２の紙幅に応じてウェブガイド２１，２１の間隔を機械操作で別途変更していた。
また、新ウェブロール１２が旧ウェブロール１１とは紙幅が異なる場合には、上述したように折機部７におけるウェブ１０の中心がずれてしまうので、紙幅に応じて三角板７１の位置も変更する必要があるが、この場合も、作業者が機械操作により変更していた。
【００１７】
このように、従来の輪転印刷機では、紙幅の異なるウェブロールに切換えた場合、ウェブガイド２１や三角板７１の変更を作業者がペースタ装置１００の操作とは別にそれぞれ個別に行なっており、複数の作業者で作業を行なう場合、他者の作業状態を確認してそのタイミングを見計らって操作しなければならないので、印刷準備時間を短縮することができず操業効率を向上させることが困難であり、また、作業者の負担が大きかった。
【００１８】
また、印刷仕様（ジョブ）によって、折機部に進入するウェブ１０をカットする場合とカットしない場合とがあり、カットする場合には切断刃（図示省略）をウェブ１０側に前進させ、カットしない場合には退避させる必要がある。
また、三角板７１で折り畳まれた後さらにウェブ１０を折りこむチョッパ（図示省略）が設けられている場合、ジョブによって、ウェブ１０の折りこみ位置が異なる場合がある。さらに、羽根車７６の両側にそなえられ、羽根車７６に載置された印刷物の位置を適正にすべく機能する側板（図示省略）の間隔も、紙幅によって変更する必要がある。
【００１９】
このような切断刃，チョッパ，側板の制御も、ペースタ装置１００の操作とは別にそれぞれ個別に行なっていた。
また、旧ウェブロール１１と新ウェブロール１２との紙継部分が印刷機内に位置している状態で、印刷機が停止した状態から再度印刷機を稼動させてウェブ１０の走行を加速させると、ウェブ１０の紙継部分は、他の部分に対して強度的にも不連続なため、この紙継部分が破断しまうおそれもあるので、紙継部分を機外へ排出してから印刷機を停止し、その後次の印刷に使用される版を交換することが望ましい。
【００２０】
本発明は、このような課題に鑑み創案されたもので、印刷準備時間を短縮して操業効率を向上でき、且つ作業者の操作負担を軽減できるようにした、輪転印刷機の制御装置及び制御方法を提供することを目的とする。
【００２１】
【課題を解決するための手段】
このため、本発明の輪転印刷機の制御装置（請求項１）は、現在使用中の旧ウェブロールのウェブに、次の印刷で使用される新ウェブロールのウェブを紙継するペースタ装置と、該ペースタ装置に該紙継の開始を指令する指令手段と、該紙継時に該紙継に関連して設定変更すべき紙継関連変更要素と、該指令手段により該紙継が指令されたら、該ペースタ装置と該紙継関連変更要素とを連携して作動を制御する制御手段とをそなえていることを特徴としている。
【００２２】
該新ウェブロールのウェブ処理情報を記憶しておく記憶手段をそなえ、該制御手段は、該記憶手段に記憶されたウェブ処理情報に基づいて該紙継関連変更要素の作動を制御することが好ましい（請求項２）。
該ウェブ処理情報は、該新ウェブロールの紙幅情報であることが好ましい（請求項３）。
【００２３】
該紙継関連変更要素は、該ウェブの走行ラインの左右両側の少なくとも一方に設けられ、該ウェブの走行姿勢を安定すべく機能するウェブガイドを含み、該制御手段は、該ウェブガイドの位置を変更することが好ましい（請求項４）。
該紙継関連変更要素は、印刷機の折機部に設けられた三角板を含み、該制御手段は、該三角板の位置を変更することが好ましい（請求項５）。
【００２４】
該制御手段は、該指令手段により該紙継の開始が指令されると、該ウェブの走行速度を紙継対応速度にすることが好ましい（請求項６）。
該折機部の下流側に排紙部がそなえられ、該制御手段は、該排紙部で紙継部分が排紙されたら、該ウェブの走行を停止させることが好ましい（請求項７）。
例えば、紙継時のウェブの紙継位置から折機部までのウェブの長さと、ウェブの走行ラインにおけるウェブの走行速度とに基づいて、ウェブの紙継部分が折機部に到達する所要時間を算出し、紙継が完了した時から所要時間が経過したら、排紙部で紙継部分が排紙されたものとみなすことができる。
【００２５】
あるいは、排紙部にウェブの紙継部分を検出するセンサを設け、このセンサにより紙継部分が検出されたら、排紙部で紙継部分が排紙されたものとみなすことができる。
【００２６】
本発明の輪転印刷機の制御方法（請求項８）は、現在使用中の旧ウェブロールのウェブに、次の印刷で使用される新ウェブロールのウェブを紙継する時の制御方法であって、紙継開始前に、予め、紙継処理に連動させて状態を変更すべき紙継関連変更要素の変更内容を記憶手段に記憶させ、その後、紙継開始指令があると、まず、旧ウェブロールのウェブの走行速度を紙継対応速度とし、次に、該紙継処理を実施し、これに連動させて該紙継関連変更要素を該記憶手段に記憶された変更内容に応じて変更することを特徴としている。
【００２７】
印刷機の作動中に該紙継開始指令があると、該旧ウェブロールのウェブの走行速度を該紙継対応速度まで減速させることが好ましい（請求項９）。
該紙継関連変更要素は、該ウェブの走行ラインの左右両側の少なくとも一方に設けられ、該ウェブの走行姿勢を安定すべく機能するウェブガイドを含み、該新ウェブロールの紙幅が該旧ウェブロールの紙幅よりも小さい場合、該ウェブの紙継部分が該ウェブガイドを通過してから該ウェブガイドの位置を変更し、該新ウェブロールの紙幅が該旧ウェブロールの紙幅よりも大きい場合、該ウェブの紙継部分が該ウェブガイドを通過する前に該ウェブガイドの位置を変更することが好ましい（請求項１０）。
排紙部で該ウェブの紙継部分が排紙された後、印刷機を停止させることが好ましい（請求項１１）。
【００２８】
【発明の実施の形態】
以下、図面により、本発明の実施の形態について説明する。
図１は本発明の一実施形態としての輪転印刷機の制御装置を示す全体概略構成図である。なお、図１において、前述した従来例と同一のものについては同一の符号を用いて示している。また、以下では、従来技術の説明で用いた図面（図３〜図７）も適宜用いて説明する。
【００２９】
図１に示すように、本制御装置が適用される輪転印刷機は、給紙部１，インフィード部２，印刷部３，ドライヤ部４，クーリング部（冷却部）５，ウェブパス部６，折機部７，排紙部８，制御手段９１をその要部として備えている。
給紙部１はペースタ部とも呼ばれ、給紙部１には例えば図４に示すようなペースタ装置１００が備えられている。
【００３０】
このようなペースタ装置１００で旧ウェブロール１１と新ウェブロール１２との交換を行なう場合、まず、図４（ａ）に示すように、現在使用中の旧ウェブロール１１が一端に装着された回転部材（リールアーム）１０１の他端に、次に使用される新ウェブロール１２を装着し、回転軸１０２を回転中心として図４（ａ）中矢印方向へ回転させる。なお、新ウェブロール１２の始端部には予め糊が付けられている。
【００３１】
これにより、旧ウェブロール１１と新ウェブロール１２とが互いに図４（ｂ）に示すような位置関係となり、その後、ブラシ（押付手段）１０３とカッタ（切断手段）１０４とが先端に装備されたアーム１０６を上昇させ、ウェブ１０の近傍位置に待機させる。
そして、図４（ｃ）に示すように、新ウェブロール１２を図４（ｃ）中矢印方向に回転加速させ、旧ウェブロール１１との周速が一致したら、ブラシ１０３により走行中の旧ウェブロール１１のウェブ１０を新ウェブロール１２の始端部に押付けることにより、新ウェブロール１２の始端部を旧ウェブロール１１のウェブ１０に貼り付け、図４（ｄ）に示すように、カッタ１０４により旧ウェブロール１１のウェブ１０を切断して紙継を完了する。
【００３２】
このようにして、ウェブ１０の繰り出しもとを旧ウェブロール１１から新ウェブロール１２へ切換えるようになっている。
そして、新ウェブロール１２のウェブ１０は、インフィード部２において連続的に引き出されて印刷部３へ移送され、印刷部３で所望の印刷が施される。
印刷部３で印刷が完了したウェブ１０は、ドライヤ部４で加熱乾燥され、クーリング部５にて冷却された後、ウェブパス部６を経由して折機部７へ移送される。
【００３３】
折機部７へ送り込まれたウェブ１０は、三角板（紙継関連変更要素）７１を経由して縦に二つ折りされた後、鋸胴７４及び折胴７５によって印刷部３において印刷された絵柄を単位とした大きさに裁断されると共に折り畳まれて目的とする折帖に形成され、羽根車７６を介して排紙部８の排紙コンベア８１上に移送され、機外へ搬出される。
【００３４】
また、上述したインフィード部２やクーリング部５、もしくはウェブパス部６には、ウェブ１０の走行姿勢を安定化させるために図５（ａ）に示すようなウェブガイド装置２０が備えられている。
ウェブガイド装置２０は、ここではウェブ１０の左右両側に設けられたウェブガイド（紙継関連変更要素）２１と、ガイドローラ２３とをそなえて構成されている。
【００３５】
ウェブガイド２１は、例えば図５（ｂ）に示すように、コの字状の形状をしており、ウェブ面に対して垂直にレーザ光等を照射し、これを受光することにより、ウェブ１０の左右両端の位置を測定できるようになっている。
そして、後述する制御手段９１により、ウェブガイド２１から得られた測定情報に基づいて、ウェブ１０が走行中心線からどれくらいずれているかを算出し、ウェブ１０が走行中心線からずれた時にはガイドローラ２３を図５（ａ）中矢印方向へ適量旋回動することでウェブ１０の走行位置及び走行姿勢を適正にさせるようになっている。
【００３６】
また、折機部７の三角板７１は、図７に示すように、矢印Ｃ方向へ移動可能なように図示省略の移動機構を有して構成されている。
そして、後述する制御手段９１により、二つ折りされたウェブ１０の中心線Ｌ１がフォーミングローラ７３の軸方向中心にくるように三角板７１を適量だけ移動し、フォーミングローラ７３よりも下流側の工程における処理が適切に行なわれるようになっている。
【００３７】
また、図１に示す記憶手段９２は、次の印刷で使用される新ウェブロール１２の紙幅，紙厚，坪量等や、折機部７における新ウェブロール１２の折丁設定（どの位置で折るか等の折り方の設定）等のウェブ１０に関する情報を記憶するようになっている。このような情報は、作業者により予め入力しておくことができる。
【００３８】
なお、給紙部１に新ウェブロール１２の紙幅を検出する検出装置等をそなえ、給紙部１に新ウェブロール１２が装着されたら自動的に新ウェブロール１２の紙幅を検出し、この紙幅情報を記憶手段９２に自動入力するように構成しても良い。
指令手段９５は、給紙部１におけるペースタ動作（ペースタサイクル）を開始するためのペースタ開始スイッチであり、このスイッチ９５が操作されることで、制御手段９１にペースタ開始の指令が送信されるようになっている。
【００３９】
制御手段９１は、スイッチ９５によりペースタ動作の開始が指令されると、ウェブ１０の走行速度を紙継対応速度（ペースタ速度）で運転させるとともに、給紙部１における一連のペースタサイクルを開始するようにペースタ装置１００を制御するようになっている。なお、ここでいうペースタ速度とは、ペースタ動作を安定して行なえる速度であり、印刷可能な最低速（例えば５０ｒｐｍ）や、この最低速よりも遅い緩動速（例えば１２ｒｐｍ）のことをいう。
【００４０】
つまり、図４（ａ）〜図４（ｄ）に示すように、まず、回転部材１０１が回転して旧ウェブロール１１と新ウェブロール１２との位置を逆転させた後、アーム１０６を上昇させ、新ウェブロール１２を回転させる。そして、旧ウェブロール１１のウェブと新ウェブロール１２との周速が一致したら、ブラシ１０３により新ウェブロール１２の糊付けされた部分に旧ウェブロール１１のウェブを押付けるとともに、カッタ１０４で旧ウェブロール１１のウェブを切断して紙継を行なう。
【００４１】
また、この紙継の処理中又は完了後、制御手段９１は、記憶手段９２に記憶された新ウェブロール１２の紙幅情報に基づき、インフィード部２やクーリング部５等に設けられたウェブガイド装置２０のウェブガイド２１の位置を変更するようになっており、具体的には、ウェブガイド２１，２１間の間隔を、新ウェブロール１２の紙幅よりも所定量だけ広くなるように変更するようになっている。
【００４２】
例えば、現在使用中である旧ウェブロール１１よりも紙幅が広い新ウェブロール１２に切換える場合、制御手段９１は、ウェブガイド２１，２１が互いに離隔する方向にウェブガイド２１，２１を移動させて、ウェブガイド２１，２１間の間隔を広くするようになっている。このタイミングは、ウェブ１０の紙継部分がウェブガイド２１，２１を通過する前であればよい。
【００４３】
これにより、ウェブガイド２１，２１が新ウェブロール１２のウェブ１０に干渉してしまうことを防止できるので、ウェブ１０を破断させることなく安定して走行させることが可能である。
また、現在使用中である旧ウェブロール１１よりも紙幅が狭い新ウェブロール１２に切換える場合には、制御手段９１は、ウェブガイド２１，２１が互いに接近する方向にウェブガイド２１，２１を移動させて、ウェブガイド２１，２１間の間隔を狭くするようになっている。なお、このタイミングは、ウェブ１０の紙継部分がウェブガイド２１，２１を通過した後であればよい。
【００４４】
これにより、ウェブガイド２１，２１が旧ウェブロール１１のウェブ１０に干渉してしまうことを防止できるので、ウェブ１０を破断させることなく安定して走行させることが可能である。
なお、ウェブガイド２１，２１を変更するタイミングは、例えば、ウェブ１０の紙継部分を検出するセンサ（例えば公知の紙継検出装置）をウェブガイド２１，２１の上流側近傍に設け、このセンサの検出情報に基づいて行なうことができる。あるいは、紙継直後のウェブ１０の紙継位置からウェブガイド２１，２１までのウェブ１０の長さと、走行ラインにおけるウェブ１０の走行速度とに基づいて、ウェブ１０の紙継部分がウェブガイド２１，２１に到達する所定時間Ｔ１を算出し、新ウェブロール１２が旧ウェブロール１１よりも幅広の場合には紙継完了時から時間Ｔ１が経過する前にウェブガイド２１，２１を変更し、新ウェブロール１２が旧ウェブロール１１よりも幅狭の場合には紙継完了時から時間Ｔ１が経過した後にウェブガイド２１，２１を変更することができる。
【００４５】
また、制御手段９１は、記憶手段９２に記憶されたウェブ１０の紙幅情報に基づいて、折機部７の三角板７１の位置を変更するようになっている。
例えば図７に示すように、現在使用中である旧ウェブロール１１よりも紙幅が広い新ウェブロール１２に切換える場合、ウェブ１０の中心線がＬ１からＬ２へ（図７中左側へ）ｘだけずれるが、制御手段９１は、このずれ量ｘを相殺するように三角板７１を図７中右側へ移動させるようになっている。
【００４６】
また、逆に、旧ウェブロール１１よりも紙幅が狭い新ウェブロール１２に切換えた場合、ウェブ１０の中心線が図７中右側へずれるので、このずれ量を相殺するように三角板７１を図７中左側へ移動させるようになっている。
これにより、新ウェブロール１２の紙幅が旧ウェブロール１１の紙幅と異なっても、折機部７においてウェブ１０を常に安定した処理を行なえるようになっている。
【００４７】
さらに、旧ウェブロール１１と紙幅が異なる新ウェブロール１２に切換える場合、制御手段９１は、折機部７の折丁設定を変更するようになっている。例えば、鋸胴から断裁刃までの距離（パス長）を調節する全幅コンペン（図示省略）の位置や、三角板７１の下流側に設けられたチョッパ（図示省略）による折りこみ位置等を変更する。なお、これらの断裁刃又は全幅コンペン，チョッパ等も同様に紙継関連変更要素である。
【００４８】
なお、三角板７１，断裁刃又は全幅コンペン，チョッパを変更するタイミングは、例えば、上述したような紙継部分を検出するセンサを折機部７の入口近傍に設けて、このセンサの検出情報に基づいて行なうことができる。あるいは、紙継直後のウェブ１０の紙継位置から折機部７までのウェブ１０の長さと、走行ラインにおけるウェブ１０の走行速度とに基づいて、ウェブ１０の紙継部分が折機部７に到達する所定時間Ｔ２を算出し、紙継完了時から時間Ｔ２が経過した後に上記の三角板７１，断裁刃又は全幅コンペン，チョッパを変更することができる。
【００４９】
また、制御手段９１は、ウェブ１０の紙継部分が排紙部８で排出されたら印刷機を停止するようになっている。これにより、次の印刷を開始する時、印刷機内には紙継部分が残留していないので、印刷機停止状態から印刷機を作動させても紙継部分が破断してしまうことがない。
なお、この場合も、ウェブ１０の紙継部分を検出するセンサを排紙部８に設け、このセンサの検出情報に基づいて紙継部分が排紙部８で排紙されたか否かを判定し、紙継部分が排紙されたと判定された場合に印刷機を停止したり、あるいは、計算により紙継部分が排紙部８から排紙される所定時間Ｔ３を求め、紙継完了時からこの所定時間Ｔ３経過したら印刷機を停止したりすることができる。
【００５０】
本実施形態の輪転印刷機の制御装置は、上述のように構成されているので、図２に示すような制御手順となる。
まず、次の印刷で使用される新ウェブロール１２のウェブ処理情報を予め記憶手段９２に入力しておく（ステップＳ１０）。
そして、ペースタ開始スイッチ９５により紙継の開始が指令されたか否かを判定し、紙継の開始が指令されたら（ステップＳ２０）、ウェブ１０の走行速度をペースタ速度にする（ステップＳ３０）。
【００５１】
ペースタ速度になったら、ペースタ装置１００のペースタ動作を開始する（ステップＳ４０）。その後、紙継関連変更要素、即ちウェブガイド２１，２１や三角板７１等を新ウェブロール１２のウェブ処理情報に基づいてプリセットする（ステップＳ５０）。
そして、紙継部分が排紙完了したか否かを判定し（ステップＳ６０）、紙継部分が排紙されたら印刷機を停止する（ステップＳ７０）。印刷機を停止した後、印刷部３の版の交換を行なう。
【００５２】
このように、本制御装置では、ペースタ開始スイッチ９５により紙継の開始が指令されると、ペースタ装置１００と、紙継関連変更要素としてのウェブガイド２１，２１や三角板７１などを連携して作動を制御するので、従来個別に行なっていた操作を１回のボタン操作で行なうことができ、作業者の操作負担を軽減できる。これにより、印刷準備時間を短縮することができるので、操業効率を向上することが可能である。
【００５３】
以上、本発明の実施形態について説明したが、本発明は上記の実施形態に限定されるものではなく、本発明の趣旨を逸脱しない範囲で種々変形して実施することができる。
例えば、頻繁に使用されるウェブロールの紙幅，折丁設定或いはペースタ速度等を、ウェブロール毎に予め記憶させておき、作業者がモード形式で適宜選択できるように構成しても良い。
【００５４】
また、羽根車７６の左右両側に備えられる側板の間隔を新ウェブロール１２のウェブ処理情報に基づいて変更するように構成しても良い。つまり、現在使用中である旧ウェブロール１１よりも紙幅が広い新ウェブロール１２に切換える場合、側板が互いに離隔する方向に側板を移動させて側板間の間隔を広くし、旧ウェブロール１１よりも紙幅が狭い新ウェブロール１２に切換える場合、側板が互いに接近する方向に側板を移動させて側板間の間隔を狭くする。なお、このタイミングは、紙幅が広くなる場合にはウェブ１０の紙継部分が側板を通過する前であればよく、紙幅が狭くなる場合にはウェブ１０の紙継部分が側板を通過した後であれば良い。
【００５５】
さらに、本実施形態のペースタ装置はこれに限定されるものではない。
また、本実施形態では、ウェブ１０の走行ラインの左右両側にウェブガイド２１，２１を設ける構成としたが、片側のみに設ける構成としても良い。この場合、ウェブ１０の紙幅に応じて、ウェブ１０の走行中心線から離隔する方向、あるいは走行中心線へ接近する方向へウェブガイド２１の位置を変更する。
【００５６】
【発明の効果】
以上詳述したように、本発明の輪転印刷機の制御装置及び制御方法によれば、紙継動作と紙継関連変更要素とを別個に作動する必要がなく、作業者の操作負担を軽減できる。また、印刷準備時間を短縮することができるので、操業効率を向上することが可能である。
【図面の簡単な説明】
【図１】本発明の一実施形態に係る輪転印刷機を示す全体概略構成図である。
【図２】本発明の一実施形態に係る輪転印刷機の制御手順を示すフローチャートである。
【図３】従来の輪転印刷機を示す全体概略構成図である。
【図４】輪転印刷機のペースタ装置のペースタサイクルを説明するための図であって、（ａ）は新ウェブロール装着時、（ｂ）はアーム上昇時、（ｃ）はブラシ押付時、（ｄ）はウェブ切断時を示す模式図である。
【図５】輪転印刷機のウェブガイド装置を説明するための図であって、（ａ）はその斜視図、（ｂ）は（ａ）におけるＡ−Ａ矢視断面図である。
【図６】輪転印刷機の折機部及び排紙部を示す模式図である。
【図７】輪転印刷機の折機部の三角板を模式的に示す側面図である。
【符号の説明】
１  給紙部
２  インフィード部
３  印刷部
４  ドライヤ部
５  クーリング部
６  ウェブパス部
７  折機部
８  排紙部
１０  ウェブ
１１  旧ウェブロール
１２  新ウェブロール
２０  ウェブガイド装置
２１  ウェブガイド
２３  ガイドローラ
３１ａ〜３１ｄ  印刷ユニット
７１  三角板
７２  ドラグローラ
７３  フォーミングローラ
７４  鋸胴
７５  折胴
７６  羽根車
８１  排紙コンベア
９１  制御手段
９２  記憶手段
９５  指令手段
１００  ペースタ装置
１０１  回転部材
１０２  回転軸
１０３  ブラシ
１０４  カッタ
１０６  アーム
【図１】
2004224562.tif 000003
【図２】
2004224562.tif 000004
【図３】
2004224562.tif 000005
【図４】
2004224562.tif 000006
【図５】
2004224562.tif 000007
【図６】
2004224562.tif 000008
【図７】
2004224562.tif 000009